(57)【要約】【課題】排紙トレイに複数種類の印刷物が排出されて積み重なると、印刷物の境目が分かり難くなる。また、排出された印刷物が排紙トレイに放置されると、各印刷物の持ち主等が分からず、その印刷物の処分に困る。【解決手段】ジョブ情報を印刷した用紙を、原稿のみが印刷された用紙と異なる向きに排紙トレイに排紙する。これにより、排紙トレイに積み重ねられた用紙の中から、ジョブ情報が印刷された用紙を容易に見つけることができる。また、印刷物の境目にジョブ情報が印刷された用紙を排紙すると、ジョブ情報が印刷された用紙が印刷物の仕切りとなる。また、ユーザはジョブ情報を読むことで、印刷物の持ち等が分かる。【選択図】図１
2005010181.tif 000002
【特許請求の範囲】
【請求項１】
印刷要求のあった原稿を用紙に印刷する印刷手段と、上記印刷がされた用紙を排紙トレイに排紙する排紙手段を備えた印刷装置において、
上記印刷手段は、上記印刷要求を特定するジョブ情報も用紙に印刷し、
上記排紙手段は、上記ジョブ情報の印刷された用紙を上記ジョブ情報の印刷されていない用紙と異なる向きに排紙することを特徴とする印刷装置。
【請求項２】
上記ジョブ情報の印刷されていない用紙が上記排紙トレイに排紙されてからの時間を計測する計測手段と、
上記ジョブ情報の印刷されていない用紙が上記排紙トレイにあるかどうかを検知する検知手段とを備え、
上記印刷手段は、上記計測手段にて所定時間が計測され、且つ上記検知手段にて上記ジョブ情報の印刷されていない用紙が上記排紙トレイにあることが検知されると、上記ジョブ情報を用紙に印刷する請求項１に記載の印刷装置。
【請求項３】
複数の上記排紙トレイと、
上記ジョブ情報と上記ジョブ情報の印刷されていない用紙が排紙された排紙トレイを対応付けて記憶する記憶手段と、
上記各排紙トレイに上記ジョブ情報の印刷されていない用紙があるかどうかを検知する検知手段とを備え、
上記印刷手段は、全排紙トレイに上記ジョブ情報の印刷されていない用紙があることが上記検知手段にて検知された場合に、上記記憶手段に各排紙トレイと対応付けて記憶されたジョブ情報を用紙に印刷し、
上記排紙手段は、各排紙トレイに、対応するジョブ情報の印刷された用紙を排紙する請求項１に記載の印刷装置。
【請求項４】
複数の上記排紙トレイと、
上記ジョブ情報と上記ジョブ情報の印刷されていない用紙が排紙された排紙トレイを対応付けて記憶する記憶手段と、
上記各排紙トレイに上記ジョブ情報の印刷されていない用紙があるかどうかを検知する検知手段とを備え、
上記印刷手段は、上記ジョブ情報が印刷されていない用紙があると上記検知手段が検知した排紙トレイを用紙の排紙先に指定する印刷要求が新たにあると、その要求に従って印刷を行う前に排紙トレイと対応付けて記憶されたそのジョブ情報を用紙に印刷し、
上記排紙手段は、その排紙トレイに、対応するジョブ情報の印刷された用紙を排紙する請求項１に記載の印刷装置。
【請求項５】
上記ジョブ情報は、当該ジョブ情報を文字形式で表した文字情報をコード化した識別情報であり、
上記印刷装置には、上記識別情報を読み取る読取手段と、
当該読取手段により読み取られた識別情報を文字情報に変換する変換部と、
変換部にて変換された文字情報を表示する表示部が備えられていることを特徴とする請求項１乃至４に記載の印刷装置。
【発明の詳細な説明】
【０００１】
【発明の属する技術分野】
本発明は、デジタル複写機、プリンタ等の印刷機能が備えられた印刷装置に関する。
【０００２】
【従来の技術】
デジタル複写機やプリンタ等の印刷装置は、原稿を複数部印刷する場合、部単位で原稿を印刷するいわゆるソート機能を備えたものがある。上記ソート機能を用いて原稿を複数部印刷すると、図９に示すように原稿の印刷された用紙が部Ａ、Ｂ、Ｃ毎に排紙トレイ８０１に排紙される。排紙された用紙の各部Ａ、Ｂ、Ｃは、排紙トレイに積み重なるため、ユーザにとって各部の境目が分かりずらい。
【０００３】
そこで、特開平２−２３１２７号公報にて提案されている印刷装置においては、図１０に示すように１部排紙する度に排紙方向を縦横に交互に変えることで、各部の境目を分かり易くしている。
【０００４】
【特許文献１】
特開平９−３００７８１号公報
【０００５】
【特許文献２】
特開２００２−２２５３８７号公報
【０００６】
【特許文献３】
特開平２−２３１２７号公報
【０００７】
【発明が解決しようとする課題】
しかしながら、ネットワークプリンタ等の複数ユーザに共有されるプリンタの場合、用紙を排紙トレイに放置したままにしておくと、その排紙トレイに別のユーザにより印刷指示された用紙が排紙される可能性がある。
【０００８】
このような場合、原稿が印刷された用紙の排紙方向を交互に変えて、印刷された各文書の境目を分かり易くしても、その文書は、誰が印刷したのか、重要なものなのか、秘密にすべきものであるか等、その文章に関することが分からない。そのため、排紙トレイに印刷された複数の文書が積み重なっている状態を発見したユーザが、これらの文書の処理に困るという問題が発生する。
【０００９】
そこで、本発明は、排紙トレイの上の文書の境目を分かり易くすると共に、排紙トレイ上の文書の種類をユーザが把握することのできる印刷装置を提供する。
【００１０】
【課題を解決する手段】
本発明の印刷装置は、文書の境目を分かり易くすると共に排紙トレイ上の文書の種類をユーザが容易に把握できるようにするため、原稿が印刷された用紙を排紙するだけでなく、ジョブ情報の印刷された用紙も排紙する。上記ジョブ情報は、印刷要求を発行したユーザ名、印刷された日時、印刷要求にて指示される原稿のコンピュータ上の名称、原稿のコンピュータ上のデータ形式、重要度、秘密にすべきものかどうか等を含む情報である。このジョブ情報は、文字の形式で表された文字情報であってもよいし、前記文字情報をコード化したコード情報であってもかまわない。
【００１１】
上記ジョブ情報を印刷した用紙は、原稿のみが印刷された用紙と異なる向きに排紙する。それによってユーザは、ジョブ情報が印刷された用紙を簡単に見つけることができる。
【００１２】
上記ジョブ情報（文字情報）が印刷された用紙を見れば、ユーザは、排紙トレイ上の文書を印刷したユーザ、印刷された日時、原稿のコンピュータ上の名称、原稿のコンピュータ上での形式、重要度、秘密にすべきものかどうか等を他人に確認したりする必要なく知ることができる。また、印刷されたジョブ情報が識別情報の場合には、上記識別情報を読み取る読取手段と、当該読取手段により読み取られた識別情報を文字情報に変換する変換部と、当該変換部にて変換されたジョブ情報を表示する表示部を備えることによって、上記識別情報を表示部に文字形式で表示することができるので前記と同様、ユーザは。排紙トレイ上の文書を印刷したユーザ、印刷された日時、原稿のコンピュータ上の名称、原稿のコンピュータ上での形式、重要度、秘密にすべきものかどうか等を他人に確認したりする必要なく知ることができる。
【００１３】
また、例えば原稿の最初のページが印刷される用紙が排紙される前、または原稿の最後のページが印刷された用紙が排紙された後にジョブ情報が印刷された用紙を排紙すると、用紙が仕切りの役目を果たす。
【００１４】
そのため、ユーザは、ジョブ情報が印刷された用紙を見て、その用紙に印刷された原稿の種類が分かるだけでなく、印刷された文章の境目も分かる。
【００１５】
【発明の実施の形態】
本実施の形態における印刷装置１００は、図１及び図２に示すように複数台のパソコンＰＣ１〜ＰＣ６とＬＡＮ等のネットワークで接続されている。印刷装置１００には、ネットワークを介して各パソコンＰＣ１〜ＰＣ６から発行される印刷要求が送信される。
【００１６】
印刷装置１００は、図２に示すように、原稿を印刷する用紙が格納された給紙カセット２３０と、原稿を印刷した用紙が排紙される排紙トレイ２０１を備える。
【００１７】
上記排紙トレイ２０１は、上記印刷装置１００の上部に配置されたメールボックス２１０と、その下方に配置されたメイントレイ２２０とから構成されている。
【００１８】
排紙先を上記メールボックス２１０にするか、上記メイントレイ２２０にするかは、各パソコンＰＣ１〜ＰＣ６を用いてユーザが選択することができる。
【００１９】
上記メイントレイ２２０が排紙先として選択された場合、原稿の印刷された複数枚の用紙をステープラーで止めて排紙したり、複数の用紙を２つ折りにして、新聞のような冊子にして排紙することができる。
【００２０】
上記メールボックス２１０は、本実施の形態においては、５つの個人用トレイＴ１〜Ｔ５から構成されている。上記メールボックス２１０が排紙先として選択された場合、原稿の印刷された用紙が排紙される個人用トレイＴ１〜Ｔ５は、印刷要求を発行するパソコンＰＣ１〜ＰＣ６によって決まる。
【００２１】
以下では、ユーザが、パソコンＰＣ１を用いて排紙先をメールボックス２１０に指定した場合について説明する。
【００２２】
ユーザが、排紙先としてメールボックス２１０を指定する。パソコンＰＣ１上のアプリケーションに原稿の印刷を指示すると、アプリケーションはプリンタドライバにその原稿の印刷を依頼する。プリンタドライバは、指定された原稿や、排紙先その他の設定を印刷装置１００が理解できるプリンタ記述言語のデータに変換する。また、上記プリンタドライバは、プリンタ記述言語でジョブ情報を作成する。
【００２３】
上記ジョブ情報は、上記印刷要求を特定するための情報である。本実施の形態におけるジョブ情報は、図４に示すように印刷要求の発行元となるパソコンに登録されたユーザ名５０１、印刷要求の発行日時５０２、印刷対象となる原稿のコンピュータ上での名称５０３（ファイル名）、原稿のコンピュータ上でのデータ形式５０４（ファイルの種類）、原稿の重要度５０５、秘密にすべきものかどうか５０６等から構成される。
【００２４】
上記ジョブ情報５００を作成すると、上記プリンタドライバは、図４に示すようにプリンタ記述言語データに変換された原稿５５０と、排紙先を含む制御情報５６０と、上記ジョブ情報５００とから印刷要求５７０を生成する。上記プリンタドライバは、当該印刷要求５７０を上記ネットワークを介して印刷装置１００に送信する。
【００２５】
上記印刷要求５７０は、上記印刷装置１００に備えられた受付手段１１０に受信される（図３、Ｓ３０１）。上記印刷要求５７０を受信すると、上記受付手段１１０は、印刷要求５７０に含まれる制御情報５６０を参照する。本実施の形態では制御情報５６０に含まれる排紙先はメールボックス２１０となっているので、上記受付手段１１０は、上記印刷要求５７０にて指示される原稿の印刷された用紙の排紙先となる個人用トレイＴ１〜Ｔ５の特定を行う。
【００２６】
まず、上記受付手段１１０は、上記印刷要求５７０のユーザ名５０１を参照して、印刷要求の発行元を特定する。上記印刷要求の発行元を特定すると、上記受付手段１１０は、図５に示す上記受付手段１１０が保持するトレイ対応表４００を参照する。
【００２７】
図５に示すように、上記トレイ対応表４００には、各パソコンＰＣ１〜ＰＣ６のユーザ名５０１と各パソコンＰＣ１〜ＰＣ６から発行された印刷要求にて指示される排紙先となる個人用トレイＴ１〜Ｔ５のトレイ番号５２０が対応付けられている。この対応付けは、例えばユーザが印刷装置１００に備えられた図示しない操作パネル等を用いて予め行っておく。
【００２８】
図４に示すようにパソコンＰＣ１のユーザ名５０１は「山田」であり、図５に示すように「山田」は個人用トレイＴ１のトレイ番号５２０と対応付けられている。そのため、上記受付手段１１０は、排紙先が個人用トレイＴ１であると認識する。排紙先を認識すると、上記受付手段１１０は、個人用トレイＴ１〜Ｔ５とメイントレイ２２０に用紙があるどうかを検知する検知手段１０５に、個人用トレイＴ１に用紙があるかどうかを問い合わせる（図３、Ｓ３０２）。上記検知手段１０５は、例えば投光器と受光器とからなる光センサを備えている。トレイに用紙がある場合、投光器から発せられた光が用紙に遮られて、受光器が受光できないようになっている。
【００２９】
ここで、上記受付手段１１０が上記検知手段１０５に検知させる用紙は、過去に発行された印刷要求が指示する原稿が印刷された用紙のことである。
【００３０】
上記問い合わせの結果、個人用トレイＴ１に用紙がないことを確認すると、上記受付手段１１０は、個人用トレイＴ１を排紙先として決定する。そして、上記受付手段１１０は、個人用トレイＴ１のトレイ番号５２０と印刷要求５７０を印刷手段１０１に入力する。
【００３１】
上記印刷手段１０１は、印刷要求５７０と、トレイ番号５２０が入力されると、印刷要求５７０に含まれる原稿５５０を用紙に印刷する（図３、Ｓ３０９）。なお、上記印刷手段１０１が原稿の印刷に用いる用紙は、原稿の種類に依らず、所定向きに給紙カセット２３０に格納された用紙を用いるものとする。
【００３２】
印刷を完了すると、上記印刷手段１０１は、ジョブ情報５００と、トレイ番号５２０とを対応付けて記憶手段１０３に登録する（図３、Ｓ３１０）。このようにして上記記憶手段１０３には、図６に示すように印刷された原稿と同じ印刷要求５７０に含まれるジョブ情報５００と、印刷された原稿が排紙される個人用トレイＴ１のトレイ番号５２０が記憶される。
【００３３】
また、印刷を完了すると、上記印刷手段１０１は、上記記憶手段１０３に対して登録作業をすると共に、原稿を印刷した用紙と、上記受付手段１１０から入力された上記トレイ番号５２０を排紙手段１０２に送る。
【００３４】
上記排紙手段１０２は、上記印刷手段１０１から送られたトレイ番号５２０が示す個人用トレイＴ１に原稿が印刷された用紙を排紙する（図３、Ｓ３１１）。
【００３５】
上記判断ステップＳ３０２における問い合わせの結果、個人用トレイＴ１に用紙があることを確認すると、上記受付手段１１０は、個人用トレイＴ２〜Ｔ５とメイントレイ２２０のうち用紙の無いトレイがあるかどうかを上記検知手段１０５に問い合わせる（図３、Ｓ３０３）。
【００３６】
この問い合わせの結果、用紙の無いトレイがあることを確認すると、上記受付手段１１０は、用紙の無いトレイのうち１つのトレイ、例えば個人用トレイＴ２を排紙先として決定する（図３、Ｓ３０８）。
【００３７】
排紙先を決定すると、上記受付手段１１０は、排紙先として決定した個人用トレイＴ２のトレイ番号５２０と上記印刷要求５７０を上記印刷手段１０１に入力する。
【００３８】
上記印刷手段１０１は、上記印刷要求５７０と上記トレイ番号５２０が入力されると、ステップＳ３０９とステップＳ３１０の処理を実行して、上記排紙手段１０２に原稿が印刷された用紙とトレイ番号５２０を送る。
【００３９】
上記排紙手段１０２は、上記印刷手段１０１から送られてきたトレイ番号５２０が示す個人用トレイＴ２に原稿が印刷された用紙を排紙する（図３、Ｓ３１１）。
【００４０】
このように、図５に示すトレイ対応表４００にユーザ名５０１と対応付けられたトレイ番号５２０のトレイに用紙がある場合、用紙の無い他のトレイに文書を排紙することで、その文書が既にトレイにある文書に積み重なることを防止することができる。よって、印刷された文書の境目が分かりづらいという問題の発生を防ぐことができる。
【００４１】
なお、通常はトレイ対応表４００に対応付けられたトレイに用紙が排紙されるので、このようにトレイ対応表４００に対応付けられていないトレイを排紙先として決定した場合、上記受付手段１１０は、ネットワークを介して印刷要求を発行したパソコンＰＣ１〜ＰＣ６に排紙先と決定されたトレイを通知することが好ましい。
【００４２】
上記判断ステップＳ３０３における問い合わせの結果、全部の個人用トレイＴ１〜Ｔ５とメイントレイ２２０に用紙があることを確認すると、上記受付手段１１０は、個人用トレイＴ１〜Ｔ５とメイントレイ２２０のうち１つのトレイを排紙先として決定する。上記のように通常は上記トレイ対応表４００にユーザ名５０１と対応付けられた個人用トレイに用紙が排紙されるので、本実施の形態のようにパソコンＰＣ１を用いて印刷要求が発行された場合、上記受付手段１１０は、個人用トレイＴ１を排紙先として決定することが好ましい（図３、Ｓ３０４）。
【００４３】
ここでは、上記受付手段１１０は、個人用トレイＴ１を排紙先として決定したとする。個人用トレイＴ１には、既に他の原稿が印刷された用紙がある。そのため、個人用トレイＴ１に新たに用紙を排紙すると、既に排紙トレイに排紙ある文書とこれから排紙される文書の境目が分からなくなる。
【００４４】
そこで、上記判断ステップＳ３０３にて、全ての個人用トレイＴ１〜Ｔ５とメイントレイ２２０に用紙があることを確認した場合、上記受付手段１１０は、上記印刷要求５７０と、個人用トレイＴ１のトレイ番号５２０と、ジョブ情報５００の印刷命令を上記印刷手段１０１に入力する。
【００４５】
上記印刷手段１０１は、ジョブ情報５００の印刷命令が入力されると、ジョブ情報５００と共に入力されたトレイ番号５２０を参照する。上記印刷手段１０１は、上記トレイ番号５２０に個人用トレイＴ１の番号が記述されていることを確認すると、上記記憶手段１０３から個人用トレイＴ１の番号と対応付けて記憶されたジョブ情報５００を取得する。
【００４６】
個人用トレイＴ１の番号と対応付けて記憶されたジョブ情報５００を取得すると、上記印刷手段１０１は、当該ジョブ情報５００を用紙に印刷する（図３、Ｓ３０５）。なお、ジョブ情報５００が印刷される用紙には、原稿が印刷される用紙と異なる向きに給紙カセット２３０に格納された用紙を用いることができる。このように異なる向きに格納された用紙を用いることで、原稿が印刷された用紙と、ジョブ情報５００が印刷された用紙は異なる向きにトレイＴ１に排紙される。これにより、排紙トレイ２０１に排紙された用紙のうち、原稿が印刷された用紙とジョブ情報５００が印刷された用紙をユーザが容易に見分けることができる。
【００４７】
上記ジョブ情報５００を印刷すると、上記印刷手段１０１は、上記ジョブ情報５００を印刷した用紙と個人用トレイＴ１のトレイ番号５２０を上記排紙手段１０２に送る。
【００４８】
また、上記印刷手段１０１は、ジョブ情報５００を印刷した用紙とトレイＴ１のトレイ番号５２０を上記排紙手段１０２に送ると、印刷したジョブ情報５００と、このジョブ情報５００と対応付けて記憶手段１０３に記憶されているトレイ番号５２０を削除する（図３、Ｓ３０６）。これは、ジョブ情報５００が印刷された用紙が１枚排紙されれば、ユーザは、当該用紙に印刷されたジョブ情報５００を読むことで、原稿の種類を把握することができるので、何度も印刷する必要がないからである。
【００４９】
上記排紙手段１０２は、上記印刷手段１０１からジョブ情報５００が印刷された用紙とトレイ番号５２０が送られてくると、当該トレイ番号５２０が示すトレイＴ１にジョブ情報５００が印刷された用紙を排紙する（図３、Ｓ３０７）。
【００５０】
上記印刷手段１０１は、上記ジョブ情報５００が印刷された用紙とトレイ番号５２０を排紙手段１０２に送ると、上記受付手段１１０から入力された印刷要求５７０に含まれる原稿５５０の印刷を行う（図３、Ｓ３０９）。印刷が完了すると、上記印刷手段１０１は、上記のように上記受付手段１１０から入力された印刷要求５７０に含まれるジョブ情報５００と、トレイ番号５２０を対応付けて上記記憶手段１０３に登録する（図３、Ｓ３１０）。また、上記印刷手段１０１は、原稿を印刷した用紙とトレイ番号５２０を上記排紙手段１０２に送る。
【００５１】
上記印刷手段１０１から原稿が印刷された用紙とトレイ番号５２０が送られてくると、上記排紙手段１０２は、原稿が印刷された用紙をトレイＴ１に排紙する（図３、Ｓ３１１）。これによりトレイＴ１には、図７に示すように上記検知手段１０５にて検知された原稿が印刷された用紙Ｅの上に、上記ジョブ情報が印刷された用紙ｅと、今回の印刷要求にて指示された原稿が印刷された用紙Ｆが排紙されることになる。
【００５２】
図７に示すように、ジョブ情報が印刷された用紙ｅと、原稿が印刷された用紙Ｅ、Ｆの向きが異なる。よって、ジョブ情報５００が印刷された用紙ｅが用紙Ｅと用紙Ｆの仕切りの役目を果たすので、用紙Ｅ、Ｆの境目がユーザにとって分かり易くなる。
【００５３】
また、ジョブ情報が印刷された用紙ｅは、原稿が印刷された用紙と異なる向きに排紙されるので、ユーザは、ジョブ情報が印刷された用紙を容易に見つけることができる。そのため、ユーザは、ジョブ情報を読むことで、原稿を印刷したユーザ、原稿の印刷された日時、ファイル名、ファイル形式、重要度、秘密にすべきものかどうか等が容易に分かる。よって、ユーザは、予め個人用トレイＴ１に排紙されていた文書の処理に困ることもない。
【００５４】
なお、ジョブ情報５００を読み易くするために、ジョブ情報５００が印刷された用紙ｅの上に原稿が印刷された用紙がＦ排紙されたときに、原稿が印刷された用紙Ｆでジョブ情報５００が隠れない位置にジョブ情報５００が印刷されることが好ましい。
【００５５】
また、本実施の形態のように個人用トレイＴ１〜Ｔ５よりも、パソコンＰＣ１〜ＰＣ６の台数が多い場合、２台以上のパソコンから発行された印刷要求にて指示される原稿の印刷物が１つの個人用トレイに排紙される場合がある。この場合、複数のユーザが印刷したものが同じ個人用トレイに積み重なるが、原稿の印刷された用紙の前にジョブ情報５００を印刷した用紙ｅを排紙することで、各ユーザは自分の印刷物を見つけることが容易となる。
【００５６】
なお、上記では判断ステップ３０２において個人用トレイＴ１に用紙があることが確認できた場合、上記受付手段１１０が、用紙の無いトレイのうち所定の１つを排紙先として選択した。排紙先の選択は、上記受付手段１１０でなくユーザが行っても良い。
【００５７】
この場合、上記受付手段１１０は、個人用トレイＴ１に用紙があることを確認すると、ネットワークを介してパソコンＰＣ１に用紙の無いトレイ番号を通知する。
【００５８】
パソコンＰＣ１は、例えば用紙のないトレイ番号の通知があると、モニタに用紙の無いトレイ番号を表示する。ユーザは、表示されたトレイ番号から１つのトレイ番号を選択する。
【００５９】
パソコンＰＣ１は、選択されたトレイ番号をネットワークを介して上記受付手段１１０に送信する。
【００６０】
上記受付手段１１０は、送信されたトレイ番号に対応する個人用トレイＴ１〜Ｔ５又はメイントレイ２２０を排紙先として決定する。
【００６１】
また、上記では判断ステップ３０３において、全部の個人用トレイＴ１〜Ｔ５とメイントレイ２２０に用紙があることを確認した場合、上記受付手段１１０は、所定の１つのトレイを排紙先として決定している。全部の個人用トレイＴ１〜Ｔ５とメイントレイ２２０に用紙がある場合、排紙先を上記受付手段１１０でなくユーザが決定しても良い。
【００６２】
この場合、上記受付手段１１０は、全部の個人用トレイＴ１〜Ｔ５とメイントレイ２２０に用紙があることを確認すると、ネットワークを介してパソコンＰＣ１に全部の個人用トレイＴ１〜Ｔ５とメイントレイ２２０に用紙があることを通知する。
【００６３】
パソコンＰＣ１は、全部の個人用トレイＴ１〜Ｔ５とメイントレイ２２０に用紙があることが通知されると、例えばその旨をモニタに表示する。ユーザは、個人用トレイＴ１〜Ｔ５またはメイントレイ２２０のうち１つのトレイのトレイ番号を指定する。パソコンＰＣ１は、ユーザにて指定されたトレイ番号をネットワークを介して上記受付手段１１０に送信する。
【００６４】
上記受付手段１１０は、送信されたトレイ番号のトレイを排紙先として決定する。
【００６５】
また、上記では、判断ステップＳ３０７において、上記排紙手段１０２は、排紙先となる個人用トレイＴ１にのみジョブ情報５００が印刷された用紙を排紙している。これに限らず、ステップＳ３０７において、全部の個人用トレイＴ１〜Ｔ５または、全部の個人用トレイＴ１〜Ｔ５とメイントレイ２２０にジョブ情報５００が印刷された用紙が排紙されても良い。
【００６６】
例えば、全部の個人用トレイＴ１〜Ｔ５にジョブ情報が印刷された用紙を排紙する場合、上記印刷手段１０１は、上記記憶手段１０３から個人用トレイＴ１〜Ｔ５のそれぞれのトレイ番号５２０と対応付けて記憶されたジョブ情報５００を取得する。そして、上記印刷手段１０１は、取得したジョブ情報５００を用紙に印刷する。上記印刷手段１０１は、個人用トレイＴ１〜Ｔ５のトレイ番号５２０と、当該各トレイ番号５２０と対応付けて記憶されていたジョブ情報５００を印刷した用紙を上記排紙手段１０２に送る。
【００６７】
上記排紙手段１０２は、各トレイ番号５２０と対応するジョブ情報５００が印刷された用紙をそれぞれの個人用トレイＴ１〜Ｔ５に排紙する。
【００６８】
（実施の形態２）
実施の形態１のように排紙トレイ２０１に排紙された文書は、ユーザが排紙トレイ２０１からその文書を取ることを忘れたりして放置される場合がある。排紙トレイ２０１に放置された文書は、他のユーザが放置されていることを発見しても、その文書の持ち主等が分からないため、破棄してよいのか、それとも保管しなければならないのかの判断ができず、そのまま放置されることがある。
【００６９】
そこで、このようなことを解決するため、本実施の形態における印刷装置１００は、上記排紙手段１０２が用紙を排紙してから、所定時間が経過すると、当該用紙の上に上記ジョブ情報５００を印刷した用紙を排紙する。
【００７０】
本実施の形態の印刷装置１００は、上記排紙手段１０２が原稿を印刷してからの時間を計測する計測手段１０４を備える。上記計測手段１０４は、上記排紙手段１０２が用紙を個人用トレイＴ１〜Ｔ５又はメイントレイ２２０に排紙すると、上記排紙手段１０２から用紙が排紙された個人用トレイＴ１〜Ｔ５又はメイントレイ２２０のトレイ番号５２０が通知される。
【００７１】
例えば上記計測手段１０４は、トレイ番号５２０が通知されると、当該通知があった時から経過した経過時間を計測し、当該経過時間を上記排紙手段１０２から通知されたトレイ番号５２０と対応付けて記憶する（図８、Ｓ８００）。
【００７２】
上記計測手段１０４は、経過時間が所定時間を超えると、所定時間を超えた経過時間と共に対応付けて記憶されているトレイ番号５２０を上記印刷手段１０１に通知する。
【００７３】
上記通知があると、上記印刷手段１０１は、通知されたトレイ番号５２０のトレイに原稿が印刷された用紙があるかどうかを上記検知手段１０５に問い合わせる（図８、Ｓ８０１）。
【００７４】
上記問い合わせの結果、例えば個人用トレイＴ１に原稿が印刷された用紙があることを確認すると、上記印刷手段１０１は、個人用トレイＴ１のトレイ番号５２０と対応付けて記憶されたジョブ情報５００を上記記憶手段１０３から取得する。
【００７５】
ジョブ情報５００を取得すると、上記印刷手段１０１は、当該ジョブ情報５００を用紙に印刷する（図８、Ｓ８０２）。
【００７６】
上記ジョブ情報５００を印刷すると、上記印刷手段１０１は、上記ジョブ情報５００を印刷した用紙と、上記計測手段１０４から通知されたトレイ番号５２０を上記排紙手段１０２に送る。
【００７７】
また、上記印刷手段１０１は、ジョブ情報５００を印刷した用紙とトレイ番号５２０を上記排紙手段１０２に送ると、印刷したジョブ情報５００と、このジョブ情報５００と対応付けて記憶手段１０３に記憶されている印刷トレイ番号５２０を消去する（図８、Ｓ８０３）。
【００７８】
上記排紙手段１０２は、上記印刷手段１０１からジョブ情報５００が印刷された用紙とトレイ番号５２０が送られてくると、トレイ番号５２０が示す個人用トレイＴ１にジョブ情報５００が印刷された用紙を排紙する（図８、Ｓ８０４）。
【００７９】
これにより所定時間個人用トレイＴ１に放置された原稿の上には、上記ジョブ情報５００が印刷された用紙が排紙される。よって、排紙されてから長時間放置されることで、原稿を印刷したユーザや、原稿の重要度や、原稿を秘密にすべきものかどうか分からなくなり、当該原稿が印刷された文書の処分に困ることを防ぐことができる。
【００８０】
また、判断ステップ８０１において、トレイ番号５２０が通知されたトレイに用紙が無いことを確認した場合、上記印刷手段１０１は、通知されたトレイ番号５２０と、通知されたトレイ番号５２０と対応付けて記憶されたジョブ情報５００を上記記憶手段１０３から消去する（図８、Ｓ８０５）。これは、所定時間経過時に原稿が印刷された用紙が既にトレイから取り除かれているため、ジョブ情報５００を印刷する必要がないためである。
【００８１】
上記ではジョブ情報は、原稿が印刷される用紙と別の用紙に印刷した場合について説明した。ジョブ情報は、原稿が印刷される用紙に印刷してもよい。この場合、ジョブ情報と原稿が印刷された用紙と原稿のみが印刷された用紙の排紙方向を相互に異なるようにする。
【００８２】
また、実施の形態１および２では、ジョブ情報を文字の形式で表した文字情報として用紙に印刷するようにしたが、この文字情報をコード化したコード情報（識別情報）で表してもかまわない。識別情報は、例えば一次元バーコードや、二次元コード等その他、読取装置で読み取って文字情報に変換できるものであればどのようなコード情報であってもかまわない。このように識別情報を用紙に印刷する場合には、図示していないが、識別情報を読み取る読取手段と、この読取手段で読み取った識別情報を文字情報に変換する変換部と、変換された文字情報を表示する表示部を備えることが好ましい。
【００８３】
また、ジョブ情報を原稿が印刷される用紙に印刷する場合、実施の形態２に記載のように、ジョブ情報が印刷された用紙の排紙を原稿が排紙されてから所定時間経過後に行うのではなく、ジョブ情報と原稿が印刷された用紙を原稿のみが印刷された用紙とを時間的に連続して排紙トレイに排紙することが好ましい。
【００８４】
上記では印刷要求は、印刷装置とネットワークを介して接続されたパソコンを用いて発行されているが、印刷要求の発行は、印刷装置に設けられたボタン等が押下されることで発行されてもよい。
【００８５】
例えば印刷装置に設けられたボタンを押下すること、印刷装置に設けられたＡＤＦ（Ａｕｔｏ  Ｄｏｃｕｍｅｎｔ  Ｆｅｅｄｅｒ）に載置された原稿が読み取られる。原稿の読み取りと共に、印刷装置を利用する際に印刷装置に挿入されるＩＣカード等に記録された情報がジョブ情報として読み取られる。読み取られた原稿とジョブ情報と等で印刷要求が構成され、上記受付手段に入力される。
【００８６】
【発明の効果】
ジョブ情報の印刷された用紙を、ジョブ情報の印刷されていない用紙と異なる向きに排紙するので、新たに原稿の印刷された用紙が排紙されたとしても、ジョブ情報の印刷された用紙が印刷物の仕切りの役目を果たす。従って、印刷物の境目がユーザにとって分かり易くなる。
【００８７】
ジョブ情報が、原稿を印刷したユーザ、原稿の印刷された日時、ファイル名、ファイル形式、重要度、秘密にすべきものかどうか等を示すことで、排紙トレイに上の文書を誰でも容易に把握することができる。
【００８８】
所定時間個人用トレイに放置された文書の上には、上記ジョブ情報が印刷された用紙が排紙される。よって、排紙されてから長時間放置されることで、原稿を印刷したユーザや、原稿の重要度や、原稿が秘密にすべきものかどうか分からなくなり、当該原稿の印刷された文書の処分に困ることを防ぐことができる
【図面の簡単な説明】
【図１】本発明の印刷装置の機能ブロック図。
【図２】本発明の印刷装置の概略外観図。
【図３】原稿を印刷するまでの手順を示すフローチャート。
【図４】印刷要求に含まれるデータの概念図。
【図５】トレイ対応表を示す図。
【図６】記憶手段に登録されるデータを示す図。
【図７】原稿が印刷された用紙と、ジョブ情報が印刷された用紙が排紙トレイに排紙された状態を示す図。
【図８】原稿が排紙されてからジョブ情報が印刷されるまでの手順を示すフローチャート。
【図９】複数部の印刷物が排紙トレイに積み重ねられた図。
【図１０】排紙方向を部ごとに交互に変えて、排紙トレイに複数部数の印刷物を排紙した図。
【符号の説明】
１００  印刷装置
１０１  印刷手段
１０２  排紙手段
１０３  記憶手段
１０４  計測手段
１０５  検知手段
２０１  排紙トレイ
２１０  メールボックス
２２０  メイントレイ
Ｔ１〜Ｔ５  個人用トレイ
【図１】
2005010181.tif 000003
【図２】
2005010181.tif 000004
【図３】
2005010181.tif 000005
【図４】
2005010181.tif 000006
【図５】
2005010181.tif 000007
【図６】
2005010181.tif 000008
【図７】
2005010181.tif 000009
【図８】
2005010181.tif 000010
【図９】
2005010181.tif 000011
【図１０】
2005010181.tif 000012